(57)【要約】【課題】設定作業を行わずに、複数のモバイル機器を連動させること。【解決手段】  複数のモバイル機器を備え、各モバイル機器が、他のモバイル機器に優先して動作する主動モードまたは他のモバイル機器に従属して動作する従動モードのいずれかにより動作可能とされるとともに、他のモバイル機器に対する自機の起動順序を検出する起動順序検出機能を備える制御部１６を備え、起動順序検出機能により検出された自機の起動順序が他のモバイル機器より早い場合に、主動モードとして動作し、遅い場合に、従動モードとして動作するモバイル機器システムを提供する。【選択図】図２
2008085789.tif 000002
【特許請求の範囲】
【請求項１】
複数のモバイル機器を備え、
各モバイル機器が、
他のモバイル機器に優先して動作する主動モードまたは他のモバイル機器に従属して動作する従動モードのいずれかにより動作可能とされるとともに、他のモバイル機器に対する自機の起動順序を検出する起動順序検出手段を備え、
前記起動順序検出手段により検出された自機の起動順序が他のモバイル機器より早い場合に、主動モードとして動作し、遅い場合に、従動モードとして動作するモバイル機器システム。
【請求項２】
各モバイル機器が表示手段を備え、
各モバイル機器は、前記起動順序検出手段により検出された起動順序が他のモバイル機器より遅い場合に、他のモバイル機器の表示手段に表示されている内容を自機の表示手段に表示する請求項１に記載のモバイル機器システム。
【請求項３】
他のモバイル機器に優先して動作する主動モードまたは他のモバイル機器に従属して動作する従動モードのいずれかにより動作可能とされるとともに、他のモバイル機器に対する自機の起動順序を検出する起動順序検出手段を備え、
起動順序検出手段により検出された自機の起動順序が他のモバイル機器より早い場合に、主動モードとして動作し、遅い場合に、従動モードとして動作するモバイル機器。
【請求項４】
表示手段を備え、
起動順序検出手段により検出された起動順序が他のモバイル機器より遅い場合に、他のモバイル機器の表示手段に表示されている内容を前記表示手段に表示させる請求項３に記載のモバイル機器。
【発明の詳細な説明】
【技術分野】
【０００１】
本発明は、複数のモバイル機器を連動させることのできるモバイル通信システムおよびモバイル機器に関するものである。
【背景技術】
【０００２】
近年、情報の多様化が進み、携帯電話機、ラップトップパソコン、情報通信端末、デジタルカメラ、音楽再生機器等の各種の機能を持つモバイル機器が、外出時において一度に持ち歩かれる機会が増えている（特許文献１参照）。
例えば、特許文献１には、デジタルカメラで撮影した画像データをローカルネットワークを介して携帯電話機に送信し、さらに携帯電話機で外部のネットワークに送信することにより、複数のモバイル機器を組み合わせて利用することが開示されている。
【特許文献１】特開２００２−９８７９号公報
【発明の開示】
【発明が解決しようとする課題】
【０００３】
ところで、上述のように複数のモバイル機器を持ち歩く場合、複数のモバイル機器を同時に連動させて使用することが考えられる。
しかしながら、この場合には、連動させる全てのモバイル機器に対して、連動のための設定を個別に行わなければならず、設定作業が煩わしいという不都合があった。
【０００４】
本発明は、上記問題を解決するためになされたもので、設定作業を行わずに、複数のモバイル機器を連動させることのできるモバイル機器システム及びモバイル機器を提供することを目的とする。
【課題を解決するための手段】
【０００５】
上記課題を解決するために、本発明は以下の手段を採用する。
本発明は、複数のモバイル機器を備え、各モバイル機器が、他のモバイル機器に優先して動作する主動モードまたは他のモバイル機器に従属して動作する従動モードのいずれかにより動作可能とされるとともに、他のモバイル機器に対する自機の起動順序を検出する起動順序検出手段を備え、前記起動順序検出手段により検出された自機の起動順序が他のモバイル機器より早い場合に、主動モードとして動作し、遅い場合に、従動モードとして動作するモバイル機器システムを提供する。
【０００６】
このような構成によれば、各モバイル機器が起動順序に従って主動モードまたは従動モードにより動作するので、先に起動した一のモバイル機器が主動モードで動作し、次に起動された他のモバイル機器が一のモバイル機器の従動モードにて動作することとなる。これにより、連動のための個別の設定作業が不要となり、各モバイル機器を迅速に連動させることができる。
【０００７】
ここで、携帯電話機、携帯型表示装置、デジタルカメラ等の各種モバイル機器は、それぞれ特有の機能を有している。即ち、携帯電話機であれば、上記に例示した他のモバイル機器と比較して操作しやすいキー入力部を有しており、携帯型表示装置は他と比較して大型の表示装置を有しており、デジタルカメラは撮像機能を備えている。従って、各モバイル機器が有する特有の機能を他のモバイル機器においても共有できるような仕組みがあれば、利便性を大幅に高めることができる。本発明によれば、先に起動したモバイル機器とその後に起動したモバイル機器とを連動させることができるので、上述したような各種機能をユーザが自在に組み合わせて利用することが可能となる。
【０００８】
例えば、ユーザによりデジタルカメラが使用されており、その後、携帯型表示装置が起動された場合、デジタルカメラにて取得された画像を携帯型表示装置が備える大きな画面で見たいという意思が伺える。このような場合に、本発明によれば、デジタルカメラに表示されていた画像が携帯型表示装置の表示装置に自動的に表示されるので、ユーザは連動のための設定を行うことなく、大きな画面で画像を見ることができる。また、例えば、先に起動しているモバイル機器が携帯型表示装置であり、後に起動したモバイル機器が携帯電話機である場合、ユーザは携帯電話機からキー入力を行うことにより、携帯電話機を携帯型表示装置に従動させて、携帯型表示装置に対して容易に入力操作を行うことが可能となる。
【０００９】
上記モバイル機器システムにおいて、各モバイル機器が表示手段を備え、各モバイル機器は、前記起動順序検出手段により検出された起動順序が他のモバイル機器より遅い場合に、他のモバイル機器の表示手段に表示されている内容を自機の表示手段に表示することとしてもよい。
【００１０】
このような構成によれば、主動モードで動作している一のモバイル機器の表示手段に表示されている内容が、従動モードで動作している他のモバイル機器の表示手段にも表示されるので、ユーザは、いずれかのモバイル機器に表示されている情報を確認しながら入力操作等をすることが可能となり、利便性を高めることができる。
上記従動モードで作動する他のモバイル機器の表示手段に表示される内容は、主動モードで作動している一のモバイル機器の表示手段に表示されている内容と全く同じでもよいし、その一部でもよい。更には、主動モードで作動している一のモバイル機器の表示手段に表示されている内容に関連付けられたより詳細な内容でもよい。
【００１１】
本発明は、他のモバイル機器に優先して動作する主動モードまたは他のモバイル機器に従属して動作する従動モードのいずれかにより動作可能とされるとともに、他のモバイル機器に対する自機の起動順序を検出する起動順序検出手段を備え、起動順序検出手段により検出された自機の起動順序が他のモバイル機器より早い場合に、主動モードとして動作し、遅い場合に、従動モードとして動作するモバイル機器を提供する。
【００１２】
このような構成によれば、他のモバイル機器よりも先に起動した場合には、主動モードとして動作し、他のモバイル機器よりも後に起動した場合には、主動モードで作動している他のモバイル機器の従動モードとして動作するので、連動のための個別の設定作業が不要となり、各モバイル機器を迅速に連動させることができる。
【００１３】
上記モバイル機器は、表示手段を備え、起動順序検出手段により検出された起動順序が他のモバイル機器より遅い場合に、他のモバイル機器の表示手段に表示されている内容を前記表示手段に表示させることとしてもよい。
【００１４】
このような構成によれば、従動モードで作動する場合に、主動モードで動作している他のモバイル機器の表示手段に表示されている内容が、表示手段に表示されるので、利便性を向上させることができる。
【発明の効果】
【００１５】
本発明によれば、設定作業を行わずに、複数のモバイル機器を連動させることができるという効果を奏する。
【発明を実施するための最良の形態】
【００１６】
以下に、本発明に係るモバイル機器システムの一実施形態について、図面を参照して説明する。
図１は、本発明の一実施形態に係るモバイル機器システム１の一構成例を示したものである。
この図に示すように、モバイル機器システム１は、複数のモバイル機器、具体的には、携帯電話機３、携帯型表示装置４、ＰＤＡ（Personal Digital Assistants）５、デジタルカメラ６を備えている。なお、これらのモバイル機器は一例であり、一般的に携帯して用いられる電子機器を任意に組み合わせて採用することが可能である。
【００１７】
上述の各モバイル機器は、共通する以下の構成要素をそれぞれ備えている。つまり、図２に示すように、各モバイル機器は、通信部（通信手段）１２、表示部（表示手段）１３、記憶部１５、制御部１６をそれぞれ備えている。これらの各部は、バス１７を介して相互に接続されており、相互間における情報の授受が可能な構成とされている。
上記構成要素は、各モバイル機器が一般的に備えている構成要素とは個別に備えられていても良いし、各モバイル機器が一般的に備えている構成要素と併用することとしても良い。例えば、携帯電話機３であれば、一般的に通信部、表示部、及び入力部を備えているので、これらの構成要素のうち、重複する構成要素については併用することが好ましい。他のモバイル機器についても同様である。
【００１８】
通信部１２は、無線により他のモバイル機器と通信可能とされている。例えば、携帯電話機３の通信部１２であれば、携帯型表示装置４、ＰＤＡ５、デジタルカメラ６との間でそれぞれ通信が可能とされている。
表示部１３は、例えば、液晶ディスプレイである。
【００１９】
記憶部１５には、他のモバイル機器の情報が格納されている。具体的には、他の各モバイル機器の識別情報が格納されているとともに、各識別情報には、名称、双方向通信を可能とするための情報等の各種情報が対応付けられている。双方向通信を可能とするための情報としては、相手のＩＰアドレス等が一例として挙げられる。例えば、携帯電話機３の記憶部１５には、図３に示すように、携帯型表示装置４、ＰＤＡ５、デジタルカメラ６の識別情報がそれぞれ格納されているとともに、各識別情報に対応付けて、名称、ＩＰアドレス等がそれぞれ格納されている。
制御部１６は、上述した各部を統括して制御するものである。制御部１６は、制御モードとして主動モードと従動モードとを有している。また、制御部１６は、他のモバイル機器に対する自機の起動順序を検出する起動順序検出機能（起動順序検出手段）を備えており、この起動順序検出機能にて検出した起動順序に応じて、主動モードまたは従動モードを選択的に設定するようになっている。
【００２０】
上述したような共通する構成を有する各モバイル機器においては、図４に示すような処理が制御部１６により実行される。なお、以下に示す処理は、各モバイル機器の制御部１６によりそれぞれ実行される処理であるが、説明の便宜上、ここでは、携帯電話機３の制御部１６を代表的に取り上げて説明する。
【００２１】
まず、携帯電話機３の制御部１６は、待機状態か否かを判断し（図４のステップＳＡ１）、起動状態であれば、通信部１２を作動させ、他のモバイル機器に対して起動状態通知要求を送信する（ステップＳＡ２）。これにより、起動状態通知要求が携帯型表示装置４、ＰＤＡ５、デジタルカメラ６の通信部１２により受信される。
この起動状態通知要求を受信した各モバイル機器の制御部１６は、自機が起動状態にあれば、起動状態である旨を示す起動状態通知信号を当該要求の送信元、つまり、携帯電話機３に返信し、一方、待機状態であれば、該信号を送信せずに待機状態を維持する。
【００２２】
続いて、携帯電話機３の制御部１６は、他のモバイル機器から起動状態通知信号を受信したか否かにより、自機が単独起動状態であるか否かを判断する（ステップＳＡ３）。具体的には、起動状態通知信号を受信した場合には、単独起動状態でないと判断し、受信しなかった場合には単独起動状態であると判断する。
【００２３】
この結果、単独起動状態であると判断した場合には（ステップＳＡ３において「ＹＥＳ」）、制御部１６は、制御モードとして主動モードを設定し、主動モードでの作動を開始する（ステップＳＡ４）。これにより、携帯電話機３は、通常通り、ユーザからの操作入力に応じた処理を実行することとなる。このような状態において、他のモバイル機器がユーザにより起動されると、起動された他のモバイル機器においても上述のステップＳＡ１及びステップＳＡ２の処理が実行され、各モバイル機器に対して起動状態通知要求が送信される。
【００２４】
携帯電話機３は、当該起動状態通知要求を受信すると（ステップＳＡ５において「ＹＥＳ」）、起動状態通知信号をこのモバイル機器に対して返信し（ステップＳＡ６）、更に、このモバイル機器の情報を従動モードのモバイル機器として記憶部１５に記憶する。
【００２５】
一方、携帯電話機３から起動状態通知信号を受信した上記モバイル機器は、自機が単独起動状態にないと判断し、制御モードとして従動モードを設定する。これにより、このモバイル機器は、主動モードで作動している携帯電話機３に従動する装置として機能することとなる。
このようにして、従動して機能するモバイル機器が現れると、携帯電話機の制御部１６は、起動終了の指令がユーザにより入力されるまで、連動処理を実行する（ステップＳＡ８）。そして、起動終了の指令がユーザにより入力されると、待機状態となり、ステップＳＡ１に戻り、起動状態となるまで、ステップＳＡ１の判断処理を繰り返し行う。
なお、ステップＳＡ８の処理の後に、従動モードで作動しているモバイル機器に対して、主動モードで作動させるか否かを選択させるステップを介在させてもよい。
【００２６】
一方、上述したステップＳＡ２において、他のモバイル機器に対して起動状態通知要求を送信した際に、既に起動されている他のモバイル機器が存在していた場合には、そのモバイル機器から起動状態通知信号が返信される。
【００２７】
この場合には、携帯電話機３の制御部１６は、単独起動状態ではないと判断し（ステップＡＳ３において「ＮＯ」）、制御モードを従動モードに設定する（ステップＳＡ１０）。これにより、携帯電話機３は、主動モードで作動している他のモバイル機器に従動して作動することとなる。具体的には、携帯電話機３の制御部１６は、主動モードで作動している他のモバイル機器が表示部１３に表示させている表示データを取得し（ステップＳＡ１１）、この表示情報を自機の表示部１３に表示させた後、起動終了の指令がユーザにより入力されるまで、連動処理を実行する（ステップＳＡ８）。
そして、起動終了の指令がユーザにより入力されると、待機状態となり、ステップＳＡ１に戻り、起動状態となるまで、ステップＳＡ１の判断処理を繰り返し行う。
【００２８】
次に、図４のステップＳＡ８において実行される連動処理について、図５を参照して具体的に説明する。この連動処理は、主動モードで作動しているモバイル機器と従動モードで作動しているモバイル機器とがあたかも同じＯＳ上で動作しているように作動させるための処理である。
【００２９】
例えば、従動モードで作動するモバイル機器においてユーザにより入力操作が行われた場合には、その入力操作の内容が主動モードで作動するモバイル機器に送信されることにより、主動モードで動作するモバイル機器において受信され（ステップＳＢ１）、主動モードで作動するモバイル機器が当該入力操作に応じた処理を実行する（ステップＳＢ２）。
このように、ユーザによる入力操作が行われる度に、この情報を起動している複数のモバイル機器間で共有することにより、各モバイル機器が連動して動作することが可能となる。
【００３０】
次に、上述した処理が各モバイル機器の制御部１６において実行されることによるモバイル機器システム１の作用について図６を参照して簡単に説明する。
例えば、今、携帯電話機３がユーザによって起動されると、携帯電話機３の制御部１６は、待機状態から起動状態に遷移したことを検知し（図６のステップＳＣ１）、他のモバイル機器に対して起動状態通知要求を送信する（ステップＳＣ２）。この結果、他のモバイル機器は起動状態にないので、いずれのモバイル機器からも起動状態通知信号が返信されず、これにより、単独起動状態であると判断し、制御モードとして主動モードを設定する（ステップＳＣ３）。これにより、例えば、ユーザによってキー入力等がされることによりスケジュール機能が呼び出された場合には、スケジュールの画面を表示部１３に表示させるなど、各種処理を実行する。図７は、携帯電話機３においてスケジュール機能が呼び出された場合の表示画面例を示した図である。
【００３１】
このような状態で、ユーザにより携帯型表示装置４が起動されると（ステップＳＣ４）、携帯型表示装置４の制御部１６によっても図４に示した処理が実行され、他のモバイル機器に対して起動状態通知要求が送信される（ステップＳＣ５）。携帯電話機３は、この起動状態通知要求を受信すると、起動状態通知信号を携帯型表示装置４に送信する（ステップＳＣ６）。
この起動状態通知信号を受信した携帯型表示装置４は、単独起動状態でないと判断し、制御モードとして従動モードを設定する（ステップＳＣ７）。これにより、携帯型表示装置４の表示部１３には、携帯電話機３の表示部１３に表示されている情報が表示されることとなる。図８は、携帯電話機３において図７に表示された内容に関連付けられた詳細な内容を示す画面が表示されている場合の携帯型表示装置の表示画面例を示した図である。
そして、その後においては、図５に示した連動処理が携帯電話機３及び携帯型表示装置４において行われることにより、入力操作情報を両者間で共有して連動することとなる。
【００３２】
以上、説明してきたように、本実施形態に係るモバイル機器システム１によれば、携帯電話機３等の各種モバイル機器が起動順序に従って主動モードまたは従動モードにより動作するので、先に起動した一のモバイル機器が主動モードで動作し、次に起動された他のモバイル機器が一のモバイル機器の従動モードにて動作することとなる。これにより、起動時における個別の設定作業が不要となり、各モバイル機器を迅速に連動させることができる。
【００３３】
更に、本実施形態に係るモバイル機器システム１によれば、主動モードで動作しているモバイル機器の表示部１３に表示されている内容が、従動モードで動作している他のモバイル機器の表示部１３にも表示されることとなるので、ユーザは、いずれかのモバイル機器に表示されている情報を確認しながら入力操作等をすることが可能となり、利便性を高めることができる。
【００３４】
なお、従動モードで作動する他のモバイル機器の表示部１３に表示される内容は、主動モードで作動しているモバイル機器の表示部１３に表示されている内容と全く同じでもよいし、その一部でも良い。或いは、主動モードで作動する他のモバイル機器の表示部１３に表示されている内容に関連付けられた、より詳細な内容を従動モードで作動する他のモバイル機器の表示部１３に表示することとしてもよい。
具体的には、表示させている元のデータが同一であればよく、そのデータのどの部分を各モバイル機器に表示させるかについては、表示部１３の大きさなどに応じて任意に変更されるものとする。例えば、携帯電話機３の表示部１３に比べて、携帯型表示装置４の表示部１３は大きいことから、携帯電話機３の表示部１３に表示させる内容よりも多くの情報を表示することが可能である。このような場合には、図７及び図８に示したように、携帯電話機３の表示部１３に要約した情報を表示させ、携帯型表示装置４に詳細な情報を表示させることとしてもよい。
【００３５】
なお、本実施形態においては、２つのモバイル機器を起動させた場合について説明したが、従動モードとして作動するモバイル機器は複数存在してもよい。また、主動モードで作動しているモバイル機器は、起動されたモバイル機器から起動状態通知要求を受信した場合に、起動状態通知信号とともに自己が主動モードで作動している旨を示す情報を送信することとしてもよい。このようにすることで、複数のモバイル機器が既に起動していた場合に、後続して起動されたモバイル機器は主動モードで作動しているモバイル機器を認識することができる。
【００３６】
以上、本発明の実施形態について図面を参照して詳述してきたが、具体的な構成はこの実施形態に限られるものではなく、本発明の要旨を逸脱しない範囲の設計変更等も含まれる。
【図面の簡単な説明】
【００３７】
【図１】本発明の一実施形態に係るモバイル機器システムの構成を示す図である。
【図２】本発明の一実施形態に係るモバイル機器システムの各モバイル機器が共通で備える構成要素を示した図である。
【図３】携帯電話機の記憶部に格納されている情報の一例を示した図である。
【図４】本発明の一実施形態に係る制御部により実行される処理の処理手順を示したフローチャートである。
【図５】連動処理について説明するためのフローチャートである。
【図６】図４及び図５に示した処理が各モバイル機器の制御部において実行されることによるモバイル機器システムの作用について簡単に説明するためのタイミングチャートである。
【図７】携帯電話機においてスケジュール機能が呼び出された場合の表示画面例を示した図である。
【図８】携帯電話機３において図７に表示された内容に関連付けられた詳細な内容を示す画面が表示されている場合の携帯型表示装置の表示画面例を示した図である。
【符号の説明】
【００３８】
１  モバイル機器システム
３  携帯電話機
４  携帯型表示装置
５  ＰＤＡ
６  デジタルカメラ
１２  通信部
１３  表示部
１５  記憶部
１６  制御部
１７  バス
【図１】
2008085789.tif 000003
【図２】
2008085789.tif 000004
【図３】
2008085789.tif 000005
【図４】
2008085789.tif 000006
【図５】
2008085789.tif 000007
【図６】
2008085789.tif 000008
【図７】
2008085789.tif 000009
【図８】
2008085789.tif 000010